(57)【特許請求の範囲】
【請求項１】
短冊状本体の一端にキーホルダ体との連結部、その他端にキーとの連結部をそれぞれ設けて構成されている複数のキー識別体の組み合せからなるキー識別具であって、
前記複数のキー識別体の短冊状本体のそれぞれの一端の連結部としての連結孔を１つのキーホルダ体に連結し、かつ、前記複数のキー識別体の短冊状本体のそれぞれの他端の連結部としての連結孔のそれぞれに連環リングを介して複数のキーを各別に連結可能とすることによって、それらのキー識別体が１つの前記キーホルダ体と共にキーホルダを構成しており、
前記複数のキー識別体のそれぞれの短冊状本体の両面に、触覚により数を識別することのできる凹凸を設けてあり、それらのキー識別体のそれぞれに設けてある前記凹凸の数をそれぞれ異ならせてあることを特徴とするキー識別具。
【請求項２】
前記凹凸は、凸部である請求項１に記載のキー識別具。
【請求項３】
前記凹凸は、凹部である請求項１に記載のキー識別具。
【請求項４】
前記キー識別体は、少なくとも前記短冊状本体が他のキー識別体と異なる色に着色されている請求項１に記載のキー識別具。
【発明の詳細な説明】
【０００１】
【発明の属する技術分野】
この発明は、キーホルダに連結されたキーの識別に供されるキー識別具に関する。
【０００２】
【従来の技術】
キーホルダに複数のキーが連結されている場合、各キーの大きさや形状が近似していると、一見しただけでは目的のキーと他のキーとを容易に識別できないことがある。
【０００３】
そこで、目的のキーを簡単に識別する手段として、識別票を介して各キーをキーホルダに連結し、識別票には各キーに対応する部屋などの識別文字を記入するようにしたものが使用されている。
【０００４】
【発明が解決しようとする課題】
しかし、このような構成の場合、目の不自由な人にはキーを識別できないという問題点があった。また、健常者でも、暗がりでは、前記識別票に記入された識別文字を読み取ることができないので、目的のキーを容易に識別できないという問題点があった。
【０００５】
この発明は、このような課題を解消し、目の不自由な人でも、暗がりでも、キーホルダに連結されている複数のキーの中から目的のキーを容易に識別することのできるキー識別具を提供することを目的とする。
【０００６】
【課題を解決するための手段】
この発明のキー識別具は、短冊状本体の一端にキーホルダ体との連結部、その他端にキーとの連結部をそれぞれ設けて構成されている複数のキー識別体の組み合せからなるキー識別具であって、前記複数のキー識別体の短冊状本体のそれぞれの一端の連結部としての連結孔を１つのキーホルダ体に連結し、かつ、前記複数のキー識別体の短冊状本体のそれぞれの他端の連結部としての連結孔のそれぞれに連環リングを介して複数のキーを各別に連結可能とすることによって、それらのキー識別体が１つの前記キーホルダ体と共にキーホルダを構成しており、前記複数のキー識別体のそれぞれの短冊状本体の両面に、触覚により数を識別することのできる凹凸を設けてあり、それらのキー識別体のそれぞれに設けてある前記凹凸の数をそれぞれ異ならせてある。この構成によると、キー識別体の連結部を利用して、複数のキーを、それぞれ凹凸の数の異なるキー識別体を介してキーホルダ体に連結することで、キー識別体の凹凸の数を触覚で識別することにより、目の不自由な人でも、暗がりでも、複数のキーの中から目的のキーを容易に識別することができる。
【０００７】
前記キー識別具において、各キー識別体の連結部は、短冊状本体の両端に設けられた連結孔であるので、短冊状本体の両端に設けられた連結孔を利用して、複数のキーを、それぞれ凹凸の数の異なるキー識別体を介してキーホルダ体に連結することで、キー識別体の凹凸の数を触覚で識別することにより、目の不自由な人でも、暗がりでも、複数のキーの中から目的のキーを容易に識別することができる。
【０００８】
また、前記キー識別具において、各キー識別体の凹凸は、前記短冊状本体の両面に設けられているという構成を採用している。このため、キー識別体の両面のいずれを触覚で確かめても凹凸の数を確認できるので、キーの識別がより容易になる。
【０００９】
また、前記キー識別具において、各キー識別体の凹凸は、凸部であっても凹部であっても良い。
【００１０】
また、前記キー識別具において、各キー識別体は、少なくとも前記短冊状本体が他のキー識別体と異なる色に着色されていても良い。この構成の場合、健常者が明るい場所でキーを識別するとき、前記凹凸の数によらずキー識別体の色によってもキーを容易に識別することができる。
【００１１】
【発明の実施の形態】
この発明の一実施形態を図１ないし図３と共に説明する。この実施形態に係るキー識別具は、キーホルダ体とキーとの間に連結され、キーの識別に供されるものであって、複数のキー識別体の組み合わせからなる。図１（Ａ），（Ｂ）はキー識別具を構成する複数のキー識別体のうちの一つを示す平面図および側面図である。このキー識別体１は、短冊状本体２の表面に、他のキー識別体と数を異ならせた複数の凹凸３を設けると共に、短冊状本体２にキーホルダ体及びキーとの連結部４をそれぞれ設けて構成されている。ここでは、その連結部４を短冊状本体２の両端にそれぞれ設けて構成している。また、前記凹凸３は、ここでは半球状の凸部として設けられているが、凹部であっても良い。さらに、凹凸３は、短冊状本体２の片面だけでなく、他の片面にも、反対側の片面の凹凸形成部に対応する位置に凹凸３が設けられている。
【００１２】
図２（Ａ）〜（Ｅ）は、キー識別具を構成する５つの各キー識別体１の平面図を示す。各キー識別体１の凹凸３の数はそれぞれ異ならせてある。すなわち、図２（Ａ）のキー識別体１の凹凸３の数は１、図２（Ｂ）のキー識別体１の凹凸３の数は２、図２（Ｃ）のキー識別体１の凹凸３の数は３、図２（Ｄ）のキー識別体１の凹凸３の数は４、図２（Ｅ）のキー識別体１の凹凸３の数は５とされている。また、各キー識別体１は互いに異なる色で着色されている。その色は短冊状本体２だけを互いに異なる色としても良いし、凹凸３を含めた全体を互いに異なる色としても良い。
【００１３】
図３は、前記キー識別具を用いて１つのキーホルダ体５に３つの異なるキー６Ａ，６Ｂ，６Ｃを連結した場合を示している。すなわち、キー６Ａは凹凸３の数が１つのキー識別体１を介して円環状のキーホルダ体５に連結され、キー６Ｂは凹凸３の数が２つのキー識別体１を介して前記キーホルダ体５に連結され、キー６Ｃは凹凸３の数が３つのキー識別体１を介して前記キーホルダ体５に連結されている。各キー識別体１は、その一端の連結孔４により前記キーホルダ体５に連結され、キーホルダ体５と各キー識別体１とでキーホルダが構成されている。また、各キー６Ａ〜６Ｃは、２つの連環リング７，８を介して各キー識別体１の他端の連結孔４にそれぞれ連結されている。
【００１４】
このキー識別具を用いて、図３のように複数のキー６Ａ〜６Ｃをキーホルダ体５に連結した場合、以下のように、目の不自由な人でも目的のキーを容易に識別することができる。すなわち、例えばキー６Ａが目的のキーである場合、各キー識別体１の凹凸３の数を触覚により識別し、その数が１のキー識別体１に連結されているキーを選ぶことにより、目的のキー６Ａを識別することができる。暗がりで健常者が目的のキーを識別するときにも、同様にして容易に識別することができる。
【００１５】
また、健常者の場合、各キー識別体１の色を識別できる明るさのもとでは、キー識別体１の凹凸３の数を確かめることなく、キー識別体１の色を見分けることによっても、目的のキー６Ａを容易に識別することができる。
【００１６】
さらに、このキー識別具では、各キー識別体１の凹凸３が、前記短冊状本体２の両面に設けられているので、キー識別体１の両面のいずれを触覚で確かめても凹凸３の数を確認できるので、目的のキーをより容易に識別できる。
【００１７】
【発明の効果】
この発明のキー識別具は、短冊状本体の一端にキーホルダ体との連結部、その他端にキーとの連結部をそれぞれ設けて構成されている複数のキー識別体の組み合せからなるキー識別具であって、前記複数のキー識別体の短冊状本体のそれぞれの一端の連結部としての連結孔を１つのキーホルダ体に連結し、かつ、前記複数のキー識別体の短冊状本体のそれぞれの他端の連結部としての連結孔のそれぞれに連環リングを介して複数のキーを各別に連結可能とすることによって、それらのキー識別体が１つの前記キーホルダ体と共にキーホルダを構成しており、前記複数のキー識別体のそれぞれの短冊状本体の両面に、触覚により数を識別することのできる凹凸を設けてあり、それらのキー識別体のそれぞれに設けてある前記凹凸の数をそれぞれ異ならせてあるので、キー識別体の凹凸の数を触覚で識別することにより、目の不自由な人でも、暗がりでも、複数のキーの中から目的のキーを容易に識別することができ、しかも、キー識別体の両面のいずれを触覚で確かめても凹凸の数を確認できるので、キーの識別がより容易になる。また、この構成において、前記キー識別体は、少なくとも前記短冊状本体が他のキー識別体と異なる色に着色されているものとした場合には、健常者が明るい場所でキーを識別するとき、前記凹凸の数によらずキー識別体の着色によってもキーを容易に識別することができる。
【図面の簡単な説明】
【図１】  （Ａ）はこの発明の一実施形態に係るキー識別具を構成する複数のキー識別体のうちの一つの平面図、（Ｂ）は同キー識別体の側面図である。
【図２】  （Ａ）〜（Ｅ）は前記キー識別具を構成する各キー識別体の平面図である。
【図３】  前記キー識別具を用いてキーホルダ体に複数のキーを連結した状態を示す説明図である。
【符号の説明】
１キー識別体
２短冊状本体
３凹凸
４連結部（連結孔）
【図１】
0003728531.tif 000002
【図２】
0003728531.tif 000003
【図３】
0003728531.tif 000004